(57)【特許請求の範囲】
【請求項１】
撮影レンズの一部又は撮像素子を移動させて像ブレを補正するブレ補正手段を有し、動作モードとして、前記ブレ補正手段を動作させて撮影する第１撮影モードと、前記ブレ補正手段を動作させずに撮影する第２撮影モードと、撮影済み画像をモニタに再生表示する再生モードとを有するとともに、前記動作モードを切り換えるモード切換手段を有し、前記ブレ補正手段は、前記モード切換手段によって前記第１撮影モードに設定されるとＯＮされ、前記第１撮影モード以外のモードに設定されるとＯＦＦされる撮像装置であって、撮影前に前記撮像素子から得られる画像をスルー画像としてモニタに表示可能な撮像装置において、
前記動作モードが切り換えられると、常に前記モニタの表示をＯＦＦしてブラックアウトさせる手段と、
前記動作モードの切り換えが、前記第１撮影モードから前記第２撮影モード又は前記再生モードへの切り換えの場合において、前記モニタの表示がＯＦＦされてブラックアウトした後に前記ブレ補正手段のセンタリングを行う手段と、
前記動作モードの切り換えが、前記第１撮影モードから前記第２撮影モード又は前記再生モードへの切り換えの場合において、前記ブレ補正手段のセンタリングが完了したことを確認した後、ブラックアウトした前記モニタの表示をＯＮする手段と、
前記動作モードの切り換えが、前記第１撮影モードから前記第２撮影モード又は前記再生モードへの切り換え以外の場合において、前記モニタの表示がＯＦＦされてブラックアウトしてから所定時間経過後に前記モニタの表示をＯＮする手段と、
を備えたことを特徴とする撮像装置。
【請求項２】
電源がＯＮされると、前記ブレ補正手段のセンタリングを行う手段と、
前記電源がＯＮされると、前記ブレ補正手段のセンタリングが完了したことを確認した後、前記モニタの表示をＯＮする手段と、
を備えたことを特徴とする請求項１に記載の撮像装置。
【請求項３】
前記モード切換手段は、前記第１撮影モードの設定する位置と、前記第２撮影モードに設定する位置と、前記再生モードに設定する位置との間をスライド自在に設けられたスイッチであることを特徴とする請求項１又は２に記載の撮像装置。
【請求項４】
前記モード切換手段は、
少なくとも撮影モードと再生モードとを切り換える手段と、
前記ブレ補正手段のＯＮ／ＯＦＦを切り換える手段と、
からなり、前記ブレ補正手段をＯＮにして、前記撮影モードに設定することにより、前記動作モードを前記第１撮影モードに設定し、前記ブレ補正手段をＯＦＦにして、前記撮影モードに設定することにより、前記動作モードを前記第２撮影モードに設定することを特徴とする請求項１又は２に記載の撮像装置。
【発明の詳細な説明】
【技術分野】
【０００１】
本発明は撮像装置に係り、特に撮影レンズの一部又は撮像素子を移動させて手ブレに基づく像ブレを補正する光学式のブレ補正機能を備えた撮像装置に関する。
【背景技術】
【０００２】
失敗写真の多くは手ブレに起因しており、このような手ブレによる失敗写真の発生を防止する機能としてブレ補正機能が知られている。ブレ補正機能には、いくつかの方式があり、たとえば光学式のブレ補正機能では、カメラ本体に生じる上下左右の振動をジャイロセンサによって検出し、撮影レンズの一部分を振動と同じ方向に平行移動させることにより、手ブレに基づく像ブレを補正する（たとえば、特許文献１〜４）。また、このブレ補正機能をＯＮ／ＯＦＦして撮影できるカメラも知られている（たとえば、特許文献５、６）。
【特許文献１】特開２０００−２４１８４５号公報
【特許文献２】特開２００１−２９０１８６号公報
【特許文献３】特開２００３−３０７７６２号公報
【特許文献４】特開２００２−３４１３９８号公報
【特許文献５】特開２００５−１１７２８３号公報
【特許文献６】特開２００５−１７５８９７号公報
【発明の開示】
【発明が解決しようとする課題】
【０００３】
ところで、一般にデジタルカメラには、カメラ本体にモニタが備えられており、このモニタに撮像素子から得られた画像をスルー表示させながら撮影できるという利点がある。そして、ブレ補正機能を備えたデジタルカメラの場合には、このモニタにスルー表示される画像（スルー画像）についてもブレを取り除いた画像を表示させることができる。
【０００４】
しかしながら、ブレ補正機能を備えたデジタルカメラの場合、スルー画像の表示中にブレ補正機能をＯＦＦすると、ブレ補正用のレンズ又は撮像素子が急に補正動作を停止して、原点復帰動作（センタリング）を行うため、モニタの表示が一瞬ズレ、撮影者に違和感を与えるという欠点がある。すなわち、センタリングを行った瞬間の画像が、一連の画像から大きくズレ、この結果、画像の連続性がなくなり、撮影者に違和感を与えるという欠点がある。
【０００５】
本発明は、このような事情に鑑みてなされたもので、モニタの表示に違和感を与えることなくブレ補正機能のＯＮ／ＯＦＦを切り替えることができる撮像装置を提供することを目的とする。
【課題を解決するための手段】
【０００６】
請求項１に係る発明は、前記目的を達成するために、撮影レンズの一部又は撮像素子を移動させて像ブレを補正するブレ補正手段を有し、動作モードとして、前記ブレ補正手段を動作させて撮影する第１撮影モードと、前記ブレ補正手段を動作させずに撮影する第２撮影モードと、撮影済み画像をモニタに再生表示する再生モードとを有するとともに、前記動作モードを切り換えるモード切換手段を有し、前記ブレ補正手段は、前記モード切換手段によって前記第１撮影モードに設定されるとＯＮされ、前記第１撮影モード以外のモードに設定されるとＯＦＦされる撮像装置であって、撮影前に前記撮像素子から得られる画像をスルー画像としてモニタに表示可能な撮像装置において、前記動作モードが切り換えられると、常に前記モニタの表示をＯＦＦしてブラックアウトさせる手段と、前記動作モードの切り換えが、前記第１撮影モードから前記第２撮影モード又は前記再生モードへの切り換えの場合において、前記モニタの表示がＯＦＦされてブラックアウトした後に前記ブレ補正手段のセンタリングを行う手段と、前記動作モードの切り換えが、前記第１撮影モードから前記第２撮影モード又は前記再生モードへの切り換えの場合において、前記ブレ補正手段のセンタリングが完了したことを確認した後、ブラックアウトした前記モニタの表示をＯＮする手段と、前記動作モードの切り換えが、前記第１撮影モードから前記第２撮影モード又は前記再生モードへの切り換え以外の場合において、前記モニタの表示がＯＦＦされてブラックアウトしてから所定時間経過後に前記モニタの表示をＯＮする手段と、を備えたことを特徴とする撮像装置を提供する。
請求項２に係る発明は、前記目的を達成するために、電源がＯＮされると、前記ブレ補正手段のセンタリングを行う手段と、前記電源がＯＮされると、前記ブレ補正手段のセンタリングが完了したことを確認した後、前記モニタの表示をＯＮする手段と、を備えたことを特徴とする請求項１に記載の撮像装置を提供する。
請求項３に係る発明は、前記目的を達成するために、前記モード切換手段は、前記第１撮影モードの設定する位置と、前記第２撮影モードに設定する位置と、前記再生モードに設定する位置との間をスライド自在に設けられたスイッチであることを特徴とする請求項１又は２に記載の撮像装置を提供する。
請求項４に係る発明は、前記目的を達成するために、前記モード切換手段は、少なくとも撮影モードと再生モードとを切り換える手段と、前記ブレ補正手段のＯＮ／ＯＦＦを切り換える手段と、からなり、前記ブレ補正手段をＯＮにして、前記撮影モードに設定することにより、前記動作モードを前記第１撮影モードに設定し、前記ブレ補正手段をＯＦＦにして、前記撮影モードに設定することにより、前記動作モードを前記第２撮影モードに設定することを特徴とする請求項１又は２に記載の撮像装置を提供する。
【発明の効果】
【００１４】
本発明に係る撮像装置によれば、モニタの表示に違和感を与えることなくブレ補正機能のＯＮ／ＯＦＦを切り替えることができる。
【発明を実施するための最良の形態】
【００１５】
以下、添付図面に従って本発明に係る撮像装置を実施するための最良の形態について説明する。
【００１６】
図１、図２は、それぞれ本発明に係る撮像装置の第１の実施形態を示す正面斜視図と背面斜視図である。
【００１７】
同図に示すように、この撮像装置１０は、被写体の光学像を撮像素子で電気信号に変換し、デジタルデータとして記憶メディアに記録するデジタルカメラであって、光学式のブレ補正機能を備えている。
【００１８】
撮像装置１０の装置本体１２は、横長で平たい矩形の箱状に形成されており、その正面には、図１に示すように、撮影レンズ１４、ファインダ窓１６、ストロボ１８等が設けられている。また、装置本体１２の上面には、シャッタボタン２０、モードスイッチ２２、モードダイヤル２４、電源ボタン２６等が設けられており、背面には、図２に示すように、ファインダ接眼部２８、液晶モニタ３０、ズームボタン３２、十字キー３４、ＭＥＮＵ／ＯＫボタン３６、ＤＩＳＰボタン３８、ＢＡＣＫボタン４０等が設けられている。
【００１９】
シャッタボタン２０は、いわゆる「半押し」と「全押し」とからなる２段ストローク式のスイッチで構成されており、このシャッタボタン２０を半押しすることにより、撮像装置１０は、ＡＥ（Automatic Exposure：自動露出）、ＡＦ（Auto Focus：自動合焦）、ＡＷＢ（Automatic White Balance：自動ホワイトバランス）が機能し、全押しすることにより、画像の記録が行われる。
【００２０】
モードスイッチ２２は、撮像装置１０の動作モードを切り替えるモード切替手段として機能し、「撮影位置」、「再生位置」、「ブレ補正撮影位置」の間をスライド自在に設けられている。撮像装置１０は、このモードスイッチ２２を「撮影位置」に位置させると、ブレ補正機能をＯＦＦさせた状態で画像の撮影を行う「撮影モード」に設定され、「再生位置」に位置させると、撮影済み画像の再生を行う「再生モード」に設定される。また、「ブレ補正撮影位置」に位置させると、ブレ補正機能をＯＮさせた状態で画像の撮影を行う「ブレ補正撮影モード」に設定される。
【００２１】
モードダイヤル２４は、撮像装置１０の撮影モードを設定する撮影モード設定手段として機能し、このモードダイヤルの設定位置により、撮像装置１０の撮影モードが、「オート撮影モード」、「動画撮影モード」、「人物撮影モード」、「スポーツ撮影モード」、「風景撮影モード」、「夜景撮影モード」、「プログラム撮影モード」、「絞り優先撮影モード」、「シャッタスピード優先撮影モード」、「マニュアル撮影モード」に設定される。
【００２２】
電源ボタン２６は、撮像装置１０の電源をＯＮ／ＯＦＦする電源スイッチとして機能し、押下するごとにＯＮ／ＯＦＦが切り替えられる。
【００２３】
液晶モニタ３０は、カラー表示が可能な液晶ディスプレイで構成されている。この液晶モニタ３０は、再生モード時に撮影済み画像を表示するための表示パネルとして利用されるとともに、各種設定時にユーザインターフェースの表示パネルとして利用される。また、撮影時には必要に応じてスルー画像が表示され、画角確認用の電子ファインダとして利用される。
【００２４】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００２５】
十字キー３４は、上下左右４方向に押圧操作することができるようにされており、各方向の各キーは、カメラの状態に応じて割り当てられる機能が変化する。たとえば、通常の撮影モード時には、右キーがマクロ機能のＯＮ／ＯＦＦを切り替えるスイッチとして機能し、左キーがストロボの機能（オート／赤目軽減／スローシンクロ／発光禁止）を切り替えるスイッチとして機能する。また、後述するように、フレーミング調整時には、上キーが撮影領域の上方向への移動、下キーが撮影領域の下方向への移動、右キーが撮影領域の右方向への移動、左キーが撮影領域の左方向への移動指示を入力するキーとして機能する。また、再生時には右キーが順コマ送りボタンとして機能し、左キーが逆コマ送りボタンとして機能する。
【００２６】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００２７】
ＤＩＳＰボタン３８は、背面表示パネルの表示内容の切り替えを指示するボタンとして機能し、ＢＡＣＫボタン４０は、入力操作のキャンセル等を指示するボタンとして機能する。
【００２８】
図３は上記撮像装置の電気的構成を示すブロック図である。同図に示すように、撮像装置１０は、撮影レンズ１４、撮像素子１１４、アナログ信号処理部１１６、Ａ／Ｄ変換器１１８、デジタル信号処理部１２０、圧縮伸張処理部１２２、メディアコントローラ１２４、記憶メディア１２６、エンコーダ１２８、液晶モニタ３０、操作部（シャッタボタン２０、モードスイッチ２２、モードダイヤル２４、ブレ補正機能切替スイッチ２６、ズームボタン３２、十字キー３４、ＭＥＮＵ／ＯＫボタン３６、ＤＩＳＰボタン３８、ＢＡＣＫボタン４０等）１３２、ＣＰＵ１３４、ＲＡＭ１３６、ＲＯＭ１３８、フラッシュＲＯＭ１４０等で構成されている。
【００２９】
撮像装置１０の全体の動作は、ＣＰＵ１３４によって統括制御されており、ＣＰＵ１３４は、操作部１３２からの入力に応じて、ＲＡＭ１３６を作業領域としながら、所定の制御プログラムに従って撮像装置１０の各部を制御する。ＲＯＭ１３８には、このＣＰＵ１３４が実行する制御プログラム及び制御に必要な各種データが記録されており、フラッシュＲＯＭ１４０には、ユーザ設定データ等が記録されている。
【００３０】
撮像素子１１４は、たとえば原色カラーＣＣＤで構成される。撮影レンズ１４を介して撮像素子１１４の受光面に入射した被写体光は、撮像素子１１４の受光面に配列されたフォトダイオードによって光電変換され、画像信号として撮像素子１１４から出力される。
【００３１】
撮像素子１１４から出力された画像信号は、ＣＤＳ（相関二重サンプリング）、ＡＧＣ（ゲイン・コントロール・アンプ回路）等を備えたアナログ信号処理部１１６にて所要の信号処理を施された後、Ａ／Ｄ変換器１１８でデジタル信号に変換されて、デジタル信号処理部１２０に取り込まれる。
【００３２】
デジタル信号処理部１２０は、入力された画像信号に対して色分離処理、ガンマ補正処理、輪郭強調補正処理、色差マトリクス処理等の所要の信号処理を施して輝度信号（Ｙ信号）と色差信号（Ｃｒ、Ｃｂ信号）とからなるＹＵＶ信号を生成する。
【００３３】
画像を記録する場合は、デジタル信号処理部１２０で生成されたＹＵＶ信号が圧縮伸張処理部１２２にて所要の圧縮処理が施され、この圧縮された画像データがメディアコントローラ１２４を介して記憶メディア１２６に記録される。
【００３４】
また、液晶モニタ３０にスルー画像を表示する場合は、デジタル信号処理部１２０で生成されたＹＵＶ信号がエンコーダ１２８に加えられ、所定の表示用の信号形式に変換されて液晶モニタ３０に出力される。
【００３５】
また、記憶メディア１２６に記録された圧縮画像データを再生する場合は、ユーザによる再生操作に応じて圧縮伸張処理部１２２に読み出され、所要の伸張処理が施されて非圧縮のＹＣ信号とされた後、エンコーダ１２８を介して液晶モニタ３０に表示される。
【００３６】
図４は、撮影レンズの概略構成を示す図である。同図に示すように、撮影レンズ１４は、第１レンズ群１、第２レンズ群２、第３レンズ群３及び第４レンズ群４で構成されており、第３レンズ郡３の前段に絞り５が設置されている。この撮影レンズ１４は、ブレ補正機能を備えており、第１レンズ群１、第２レンズ群２及び第４レンズ群４が結像光学系を構成し、第３レンズ群３が、結像光学系の像ブレを補正するブレ補正光学系を構成する。
【００３７】
ブレ補正光学系を構成する第３レンズ群３は、補正レンズ３Ａと固定レンズ３Ｂとで構成されており、補正レンズ３Ａを撮影光軸Ｏと直交する面内でピッチ方向（上下）とヨー方向（左右）に移動させることにより、像ブレを補正する。
【００３８】
図５はブレ補正光学系のレンズ駆動機構の構成を示す分解斜視図である。同図に示すように、レンズ鏡筒５２の内側には、ピッチ方向（図中Ｐ方向）に沿ってＰガイド軸５４Ｐが配設されるとともに、ヨー方向（図中Ｙ方向）に沿ってＹガイド軸５４Ｙが配設されている。
【００３９】
Ｐガイド軸５４Ｐには、Ｐスライダ５６Ｐがスライド自在に支持されており、Ｙガイド軸５４Ｙには、Ｙスライダ５６Ｙがスライド自在に支持されている。Ｐスライダ５６Ｐには、Ｙ方向に沿ってｙガイド軸５８Ｙが配設されており、このｙガイド軸５８Ｙに補正レンズ３Ａを保持したレンズ保持枠６０がスライド自在に支持されている。また、Ｙスライダ５６Ｙには、Ｐ方向に沿ってｐガイド軸５８Ｐが配設されており、このｐガイド軸５８Ｐにレンズ保持枠６０がスライド自在に支持されている。
【００４０】
Ｐスライダ５６Ｐは、コイル６２Ｐとマグネット６４ＰとからなるＰコイルモータ６６Ｐに駆動されてＰ方向にスライドする。そして、このＰコイルモータ６６Ｐを構成するコイル６４ＰがＰスライダ５６Ｐに取り付けられており、マグネット６６Ｐがレンズ鏡筒５２に取り付けられている。
【００４１】
一方、Ｙスライダ５６Ｙは、コイル６２Ｙとマグネット６４ＹとなるＹコイルモータ６６Ｙに駆動されてＹ方向にスライドする。そして、このＹコイルモータ６６Ｙを構成するコイル６２Ｙがスライダ５６Ｙに取り付けられており、マグネット６４Ｙがレンズ鏡筒５２に取り付けられている。
【００４２】
また、Ｐスライダ５６Ｐは、ホール素子（不図示）とマグネット６８ＰとからなるＰ位置センサ７０Ｐによって位置が検出される。そして、このＰ位置センサ７０Ｐを構成するホール素子がスライダ５６Ｐに取り付けられており、マグネット６６Ｐがレンズ鏡筒５２に取り付けられている。
【００４３】
一方、Ｙスライダ５６Ｙは、ホール素子（不図示）とマグネット６８ＹとからなるＹ位置センサ７０Ｙによって位置が検出される。そして、このＹ位置センサ７０Ｙを構成するホール素子がスライダ５６Ｙに取り付けられており、マグネット６８Ｙがレンズ鏡筒５２に取り付けられている。
【００４４】
ブレ補正光学系のレンズ駆動機構は、以上のように構成される。このレンズ駆動機構によれば、Ｐコイル駆動モータ６６Ｐを駆動すると、スライダ５６ＰがＰ方向に移動し、これにより、レンズ保持枠６０がＰ方向に移動して、補正レンズ３ＡがＰ方向に移動する。また、Ｙコイル駆動モータ６６Ｙを駆動すると、スライダ５６ＹがＹ方向に移動し、これにより、レンズ保持枠６０がＹ方向に移動して、補正レンズ３ＡがＹ方向に移動する。
【００４５】
ＣＰＵ３４は、Ｐ位置センサ７０ＰでＰスライダ５６Ｐの移動を検出すると、Ｐコイルモータドライバ７２Ｐを介してＰコイルモータ６６Ｐを駆動し、その移動を打ち消すように補正レンズ３Ａを移動させる。また、Ｙ位置センサ７０ＹでＹスライダ５６Ｙの移動を検出すると、Ｙコイルモータドライバ７２Ｙを介してＹコイルモータ６６Ｙを駆動し、その移動を打ち消すように補正レンズ３Ａを移動させる。これにより、手ブレに基づく像のブレが補正される。
【００４６】
上記のように、本実施の形態の撮像装置１０では、モードスイッチ２２による切り替え操作によって、ブレ補正機能のＯＮ／ＯＦＦが切り替えられる。すなわち、モードスイッチ２２を「撮影位置」に位置させると、撮影モードに設定されて、ブレ補正機能をＯＦＦさせた状態で画像の撮影を行い、モードスイッチ２２を「ブレ補正撮影位置」に位置させると、ブレ補正撮影モードに設定されて、ブレ補正機能をＯＮさせた状態で画像の撮影行う。
【００４７】
モードスイッチ２２を切り替えて、ブレ補正撮影モードから撮影モードに移行させると、ブレ補正機能はＯＦＦとなり、それまで移動制御が行われていたブレ補正光学系の補正レンズ３Ａは駆動が開放され、原点復帰、すなわち、撮影光軸上に移動する（センタリング）。このセンタリングの際、液晶モニタ３０にスルー画像を表示させていると、画像がブレ、画像の連続性が失われて、撮影者に違和感を与える。
【００４８】
そこで、本実施の形態の撮像装置１０では、モードスイッチ２２で撮像装置１０の動作モードを切り替える際、液晶モニタ３０の表示を一時的にＯＦＦ、すなわちブラックアウトさせ、この間にセンタリング動作を行わせることにより、画像がブレて撮影者に違和感を与えるのを防止する。
【００４９】
図６は、本実施の形態の撮像装置１０における動作の手順を示すフローチャートである。
【００５０】
同図に示すように、電源ボタン２６が押下され、電源がＯＮされると（ステップＳ１０）、ＣＰＵ３４は、Ｐコイルモータ６６Ｐ及びＹコイルモータ６６Ｙの駆動を制御し、補正レンズ３Ａのセンタリングを行う（ステップＳ１１）。そして、補正レンズ３Ａのセンタリングが完了したことを確認した後（ステップＳ１２）、液晶モニタ３０の表示をＯＮし（ステップＳ１３）、設定された動作モードに応じた処理を実行する（ステップＳ１４）。すなわち、モードスイッチ２２が再生位置に設定されている場合（再生モード）は、再生制御を行い、撮影位置に設定されている場合（撮影モード）は、撮影制御を行う。また、ブレ補正撮影位置に設定されている場合（ブレ補正撮影モード）は、ブレ補正制御を行いながら、撮影制御を行う。
【００５１】
そして、モードスイッチ２２が操作されて、動作モードが切り替えられたか否か判定し（ステップＳ１５）、動作モードが切り替えられたと判定すると、液晶モニタ３０の表示をＯＦＦし、ブラックアウトさせる（ステップＳ１６）。
【００５２】
この後、ＣＰＵ３４は、ブレ補正機能がＯＮからＯＦＦに切り替えられたか否か判定する（ステップＳ１７）。すなわち、動作モードの切り替えが、ブレ補正撮影モードから他のモード（再生モード又は撮影モード）への切り替えか否かを判定する。
【００５３】
ここで、ブレ補正モードから他のモードへの切り替えと判定すると、ＣＰＵ３４は、Ｐコイルモータ６６Ｐ及びＹコイルモータ６６Ｙの駆動を制御し、補正レンズ３Ａのセンタリングを行う（ステップＳ１８）。そして、補正レンズ３Ａのセンタリングが完了したことを確認した後（ステップＳ１９）、液晶モニタ３０の表示をＯＮし（ステップＳ２０）、設定された動作モードに応じた処理を実行する（ステップＳ２１）。
【００５４】
一方、ブレ補正モードから他のモードへの切り替えではないと判定すると、ＣＰＵ３４は、所定時間が経過するのを待って（ステップＳ２３）、液晶モニタ３０の表示をＯＮする（ステップＳ２０）。そして、設定された動作モードに応じた処理を実行する（ステップＳ２１）。
【００５５】
この後、ＣＰＵ３４は、撮像装置１０の電源がＯＦＦされたか否か判定し（ステップＳ２２）、ＯＦＦされたと判定すると、処理を終了する。一方、電源がＯＦＦされていないと判定すると、ステップＳ１５に戻り、上記の処理を繰り返し実行する。
【００５６】
以上説明したように、本実施の形態の撮像装置１０によれば、モードスイッチ２２で撮像装置１０の動作モードが切り替えられると、液晶モニタ３０の表示が一時的にブラックアウトし、この間、必要があれば、補正レンズ３Ａのセンタリングが行われる。これにより、たとえスルー画像を液晶モニタ３０に表示している場合であっても撮影者に違和感を与えるのを防止することができる。すなわち、ただ単に液晶モニタ３０の表示をブラックアウトさせるのではなく、モードスイッチ２２を切り替える動作に連動して液晶モニタ３０の表示をブラックアウトさせることにより、撮影者に違和感を与えるのを効果的に防止することができる。
【００５７】
なお、本実施の形態では、ブレ補正機能をＯＦＦする場合以外、すなわち、ブレ補正撮影モードから他のモードに切り替える場合も液晶モニタ３０の表示をブラックアウトさせているが、ブレ補正機能をＯＦＦする場合にのみ、すなわち、ブレ補正撮影モードから他のモードに切り替える場合にのみ液晶モニタ３０の表示をＯＦＦするようにしてもよい。
【００５８】
また、本実施の形態では、ブレ補正機能をＯＦＦする場合、補正レンズ３Ａのセンタリングが完了したことを確認した後、液晶モニタ３０の表示をＯＮしているが、一定の時間を設定し、その間、補正レンズ３Ａのセンタリングを行うようにしてもよい。すなわち、センタリングに必要十分な時間をあらかじめ設定し、その時間の経過後、液晶モニタ３０の表示をスルー画像に切り替えるようにしてもよい。
【００５９】
また、本実施の形態では、モードスイッチ２２による動作モードの切り替えが、三つのモードに限定されているが、モードスイッチ２２による動作モードの切り替えは、これに限定されるものではない。たとえば、上記実施の形態で例示したモード以外に動画撮影モードやブレ補正動画撮影モード等の設定切り替えができるようにしてもよい。
【００６０】
なお、モードスイッチ２２による動作モードの切り替えは、ブラックアウトによる違和感をより低減させるためにも少なくとも三つのモードの切り替えができるようにすることが好ましい。
【００６１】
また、モードスイッチ２２で切り替えられる各動作モードの並びは、本実施の形態のものに限定されるものではなく、他の並びで切り替えができるようにしてもよい。たとえば、「再生位置」、「撮影位置」、「ブレ補正撮影位置」の順で配列してもよいし、「ブレ補正撮影位置」、「再生位置」、「撮影位置」の順で配列してもよい。
【００６２】
また、本実施の形態では、スライド式のモードスイッチ２２で撮像装置１０の動作モードの切り替えを行うようにしているが、動作モードを切り替える手段は、これに限定されるものではない。たとえば、この他、ダイヤル式のモードスイッチによって動作モードを切り替えるようにしてもよい。また、ボタン式のモードスイッチによって動作モードを切り替えるようにしてもよい。この場合、モードスイッチを一回押下するたびに撮像装置１０の動作モードが切り替わるように構成する。
【００６３】
また、本実施の形態では、モードスイッチによって動作モードが切り替えられると、液晶モニタ３０の表示をブラックアウトさせるようにしているが、所定の画像を表示させるようにしてもよい。  
【００６４】
次に、本発明に係る撮像装置の第２の実施の形態について説明する。
【００６５】
上述した第１の実施の形態の撮像装置１０では、モードスイッチ２２で撮像装置１０の動作モードを切り替える際、液晶モニタ３０の表示を一時的にＯＦＦし、この間に補正レンズ３Ａのセンタリング動作を行わせることにより、画像がブレて撮影者に違和感を与えるのを防止している。
【００６６】
第２の実施の形態の撮像装置１００では、液晶モニタ３０を利用してブレ補正機能のＯＮ／ＯＦＦを切り替える構成とすることにより、補正レンズ３Ａのセンタリング動作で画像がブレて撮影者に違和感を与えるのを防止する。すなわち、ブレ補正機能のＯＮ／ＯＦＦを切り替える際、液晶モニタ３０に設定画面を表示させ、この設定画面でブレ補正機能のＯＮ／ＯＦＦを切り替える構成とする。そして、ブレ補正機能がＯＦＦされた場合は、センタリングが完了した後、設定画面からスルー画像に復帰する構成とすることにより、センタリングによって画像がブレて撮影者に違和感を与えるのを防止することができる。
【００６７】
図７は、本実施の形態の撮像装置１００の背面斜視図である。なお、第１の実施の形態の撮像装置１０と同じ構成部材には、同じ符号を付している。
【００６８】
同図に示すように、第２の実施の形態の撮像装置１００は、モードスイッチ４２の構成が、第１の実施の形態の撮像装置１０と相違している。すなわち、本実施の形態の撮像装置１００では、モードスイッチ４２が電源スイッチを兼ねており、「ＯＦＦ位置」と「再生位置」と「撮影位置」との間をスライド自在に設けられている。撮像装置１００は、モードスイッチ４２を「ＯＦＦ位置」に設定することにより、電源がＯＦＦになり、「再生位置」又は「撮影位置」に設定することにより、電源がＯＮになる。そして、「再生位置」に設定すると、再生モードに設定され、「撮影位置」に設定すると、撮影モードに設定される。
【００６９】
上記のように、本実施の形態の撮像装置１００では、ブレ補正機能のＯＮ／ＯＦＦの設定が液晶モニタ３０に表示される設定画面で行われる。すなわち、撮像装置１００の動作モードが撮影モードに設定された状態でＭＥＮＵ／ＯＫボタン３６が押されると、図８に示すように、液晶モニタ３０の表示がスルー画像（同図（ａ））から撮影メニュー（同図（ｂ））に切り替わり、その撮影メニューでブレ補正機能のＯＮ／ＯＦＦが設定される。
【００７０】
なお、図８（ｂ）に示す例では、ＭＥＮＵ／ＯＫボタン３６を押すと、撮影メニューとして各種設定可能な項目が一覧表示され、その一覧表示された項目の中からブレ補正機能のＯＮ／ＯＦＦを切り替える項目を選択して、ブレ補正機能のＯＮ／ＯＦＦを設定する。メニュー項目の選択やブレ補正機能のＯＮ／ＯＦＦの選択は、十字キー３４を利用してカーソルを移動させることにより行い、選択した項目の確定は、ＭＥＮＵ／ＯＫボタン３６を押すことにより行われる。
【００７１】
ＭＥＮＵ／ＯＫボタン３６が押されて、ブレ補正機能のＯＮ／ＯＦＦの設定入力が完了すると、ＣＰＵ３４は、所定の動作を行い、液晶モニタ３０の表示を設定メニュー（図８（ｂ））からスルー画像（図８（ｃ））に切り替える。すなわち、ブレ補正機能がＯＦＦされた場合は、補正レンズ３Ａのセンタリングを行い、センタリングの完了後、液晶モニタ３０の表示をメニュー画面からスルー画像に切り替える。一方、ブレ補正機能がＯＮされ場合は、ブレ補正制御を開始し、液晶モニタ３０の表示をメニュー画面からスルー画像に切り替える。
【００７２】
撮像装置１００の電気的構成は、基本的に上述した第１の実施の形態の撮像装置１０と同じなので、ここでは、その説明は省略する。
【００７３】
図９は、第２の実施の形態の撮像装置１００の動作の手順を示すフローチャートである。
【００７４】
同図に示すように、電源ボタン２６が押下され、電源がＯＮされると（ステップＳ３０）、ＣＰＵ３４は、撮像装置１００の動作モードが再生モードに設定されているか否かを判定する（ステップＳ３１）。
【００７５】
ここで、モードスイッチ２２が再生位置に設定され、動作モードが再生モードに設定されていると判定すると、ＣＰＵ３４は、再生制御を実行する（ステップＳ４３）。
【００７６】
一方、モードスイッチ２２が撮影位置に設定され、撮影位置に設定されていると判定すると、ＣＰＵ３４は、撮影制御を実行する（ステップＳ３２）。この際、まず、ＣＰＵ３４は、補正レンズ３Ａのセンタリングを行い、センタリングの完了後、液晶モニタ３０の表示をＯＮし、液晶モニタ３０にスルー画像を表示させる。この後、ＣＰＵ３４は、ブレ補正機能の設定に応じてブレ補正制御を行い、撮影制御を行う。すなわち、ブレ補正機能がＯＮ設定されている場合は、ブレ補正制御を行いながら撮影制御を行い、ブレ補正機能がＯＦＦ設定されている場合は、ブレ補正制御を行わずに撮影制御を行う。
【００７７】
なお、この電源投入時におけるブレ補正機能のＯＮ／ＯＦＦの設定は、前回終了時の設定がそのまま受け継がれるものとする。したがって、前回終了時にブレ補正機能がＯＮ設定されている場合にはＯＮとなり、前回終了時にブレ補正機能がＯＦＦ設定されている場合にはＯＦＦとなる。
【００７８】
このように、ＣＰＵ２４は、電源投入後、設定状態に応じた撮影制御を行う。そして、この撮影制御を行う過程でＭＥＮＵ／ＯＫボタン３６が押下されたか否かを判定する（ステップＳ３４）。すなわち、液晶モニタ３０にメニュー画面が呼び出されたか否か判定する。
【００７９】
ここで、ＭＥＮＵ／ＯＫボタン３６が押下されたと判定すると、ＣＰＵ３４は、図８（ｂ）に示すように、液晶モニタ３０の表示をメニュー画面に切り替える（ステップＳ３５）。撮影者は、この液晶モニタ３０に表示されるメニュー画面を使って各種設定を行う。
【００８０】
ＣＰＵ３４は、この撮影者の設定入力に基づいてブレ補正機能がＯＦＦされたか否かを判定する（ステップＳ３６）。そして、ブレ補正機能がＯＦＦされていないと判定すると、入力された設定を反映させる処理を実行する（ステップＳ４２）。たとえば、セルフタイマーが設定された場合には、セルフタイマー処理を実行し、ホワイトバランスの設定が行われた場合には、設定されたホワイトバランスの調整処理を行う。そして、液晶モニタ３０の表示をメニュー画面からスルー画像に切り替え（ステップＳ３９）、撮影制御に復帰する。この後、ＣＰＵ３４は、電源がＯＦＦされたか否か判定し（ステップＳ４０）、ＯＦＦされたと判定すると処理を終了する。また、ＯＦＦされていないと判定すると、ステップＳ３１に戻り、上記の処理を繰り返し実行する。
【００８１】
一方、ステップＳ３６でブレ補正機能がＯＦＦされたと判定すると、ＣＰＵ３４は、Ｐコイルモータ６６Ｐ及びＹコイルモータ６６Ｙの駆動を制御し、補正レンズ３Ａのセンタリングを行う（ステップＳ３７）。そして、補正レンズ３Ａのセンタリングが完了したことを確認した後（ステップＳ３８）、液晶モニタ３０の表示をメニュー画面からスルー画像に切り替え（ステップＳ３９）、撮影制御に復帰する。
【００８２】
この後、ＣＰＵ３４は電源がＯＦＦされたか否か判定し（ステップＳ４０）、ＯＦＦされたと判定すると処理を終了する。また、ＯＦＦされていないと判定すると、ステップＳ３１に戻り、上記のｓｈ理を繰り返し実行する。
【００８３】
以上説明したように、本実施の形態の撮像装置１００によれば、ブレ補正機能のＯＮ／ＯＦＦの設定をメニュー画面で行い、ブレ補正機能がＯＦＦ設定された場合には、補正レンズ３Ａのセンタリングの完了を待って液晶モニタ３０の表示をスルー画像に切り替えることにより、撮影者に違和感を与えるのを効果的に防止することができる。
【００８４】
なお、本実施の形態では、撮影メニューの一つとしてブレ補正機能のＯＮ／ＯＦＦの設定項目を設けているが、ブレ補正機能の設定を行うためだけの専用ボタンを装置本体１２に設けてもよい。この場合、この専用ボタンを押すと、ブレ補正機能のＯＮ／ＯＦＦの設定画面が液晶モニタ３０に表示され、ブレ補正機能のＯＮ／ＯＦＦが設定できるようになる。
【００８５】
また、本実施の形態では、ブレ補正機能をＯＦＦする場合、補正レンズ３Ａのセンタリングが完了したことを確認した後、液晶モニタ３０の表示をスルー画像に切り替えているが、一定の時間を設定し、その間、補正レンズ３Ａのセンタリングを行うようにしてもよい。すなわち、センタリングに必要十分な時間をあらかじめ設定し、その時間の経過後、液晶モニタ３０の表示をスルー画像に切り替えるようにしてもよい。
【００８６】
また、本実施の形態では、電源投入時に前回終了時のブレ補正機能のＯＮ／ＯＦＦの設定が引き継がれる構成としているが、電源投入時は、常にブレ補正機能がＯＮ又はＯＦＦに自動設定されるようにしてもよい。
【００８７】
次に、本発明に係る撮像装置の第３の実施の形態について説明する。
【００８８】
上述した第１の実施の形態の撮像装置１０では、モードスイッチ２２で撮像装置１０の動作モードを切り替える際、液晶モニタ３０の表示を一時的にＯＦＦし、この間に補正レンズ３Ａのセンタリング動作を行わせることにより、画像がブレて撮影者に違和感を与えるのを防止している。
【００８９】
第３の実施の形態の撮像装置２００では、ブレ補正機能のＯＮ／ＯＦＦを切り替える際、液晶モニタ３０に所定の画像を一時的に表示し、この間に補正レンズ３Ａのセンタリング動作を行わせることにより、画像がブレて撮影者に違和感を与えるのを防止する。
【００９０】
図１０は、本実施の形態の撮像装置２００の背面斜視図である。なお、上述した第１及び第２の実施の形態の撮像装置と同じ構成部材には、同じ符号を付している。
【００９１】
同図に示すように、第３の実施の形態の撮像装置２００は、第２の実施の形態の撮像装置１００と同様にモードスイッチ４２が電源スイッチを兼ねている。また、ブレ補正機能のＯＮ／ＯＦＦの設定を行うブレ補正スイッチ４４が装置本体１２の背面に備えられている。このブレ補正スイッチ４４は、「ＯＮ位置」と「ＯＦＦ位置」との間をスライド自在に設けられており、「ＯＮ位置」に設定すると、ブレ補正機能がＯＮされ、「ＯＦＦ位置」に設定すると、ブレ補正機能がＯＦＦされる。
【００９２】
撮像装置２００の電気的構成は、基本的に上述した第１の実施の形態の撮像装置１０と同じなので、ここでは、その説明は省略する。
【００９３】
図１１は、第３の実施の形態の撮像装置２００の動作の手順を示すフローチャートである。
【００９４】
同図に示すように、電源ボタン２６が押下され、電源がＯＮされると（ステップＳ５０）、ＣＰＵ３４は、撮像装置１００の動作モードが再生モードに設定されているか否かを判定する（ステップＳ５１）。
【００９５】
ここで、モードスイッチ２２が再生位置に設定され、動作モードが再生モードに設定されていると判定すると、ＣＰＵ３４は、再生制御を実行する（ステップＳ６１）。
【００９６】
一方、モードスイッチ２２が撮影位置に設定され、撮影位置に設定されていると判定すると、ＣＰＵ３４は、撮影制御を実行する（ステップＳ５２）。この際、まず、ＣＰＵ３４は、Ｐコイルモータ６６Ｐ及びＹコイルモータ６６Ｙの駆動を制御し、補正レンズ３Ａのセンタリングを行い、センタリングの完了後、液晶モニタ３０の表示をＯＮする。すなわち、液晶モニタ３０にスルー画像を表示させる。この後、ＣＰＵ３４は、ブレ補正機能の設定に応じてブレ補正制御を行い、撮影制御を行う。すなわち、ブレ補正機能がＯＮ設定されている場合は、ブレ補正制御を行いながら撮影制御を行い、ブレ補正機能がＯＦＦ設定されている場合は、ブレ補正制御を行わずに撮影制御を行う。そして、この撮影制御を行う過程でブレ補正スイッチ４４が操作されたか否か判定する（ステップＳ５３）。
【００９７】
ここで、ブレ補正スイッチ４４が操作されたと判定すると、ＣＰＵ３４は、その操作がブレ補正機能のＯＮからＯＦＦへの切り替え操作か否かを判定する（ステップＳ５４）。
【００９８】
ブレ補正スイッチ４４が、ＯＦＦからＯＮに切り替えられたと判定すると、ＣＰＵ３４は、Ｐ位置センサ７０Ｐ及びＹ位置センサ７０Ｙの出力に基づいてＰコイルモータ６６Ｐ及びＹコイルモータ６６Ｙの駆動を制御し、ブレ補正制御を開始する（ステップＳ６２）。
【００９９】
一方、ブレ補正スイッチ４４が、ＯＮからＯＦＦに切り替えられたと判定すると、ＣＰＵ３４は、画像の撮影を行う（ステップＳ５５）。すなわち、撮像素子１１４から画像の取り込みを行う。
【０１００】
そして、その撮像素子１１４から取り込んだ撮影画像を液晶モニタ３０に再生表示させる（ステップＳ５６）。
【０１０１】
この後、ＣＰＵ３４は、Ｐコイルモータ６６Ｐ及びＹコイルモータ６６Ｙの駆動を制御し、補正レンズ３Ａのセンタリングを行う（ステップＳ５７）。そして、補正レンズ３Ａのセンタリングが完了したことを確認した後（ステップＳ５８）、液晶モニタ３０の表示を撮影画像からスルー画像に切り替え（ステップＳ５９）、撮影制御に復帰する。
【０１０２】
この後、ＣＰＵ３４は、電源がＯＦＦされたか否か判定し（ステップＳ６０）、ＯＦＦされたと判定すると処理を終了する。また、ＯＦＦされていないと判定すると、ステップＳ５１に戻り、上記の処理を繰り返し実行する。
【０１０３】
以上説明したように、本実施の形態の撮像装置１００によれば、ブレ補正機能のＯＮ／ＯＦＦの設定をメニュー画面で行い、ブレ補正機能がＯＦＦ設定された場合には、補正レンズ３Ａのセンタリングの完了を待って液晶モニタ３０の表示をスルー画像に切り替えることにより、撮影者に違和感を与えるのを効果的に防止することができる。
【０１０４】
なお、本実施の形態では、撮影メニューの一つとしてブレ補正機能のＯＮ／ＯＦＦの設定項目を設けているが、ブレ補正機能の設定を行うためだけの専用ボタンを装置本体１２に設けてもよい。この場合、この専用ボタンを押すと、ブレ補正機能のＯＮ／ＯＦＦの設定画面が液晶モニタ３０に表示され、ブレ補正機能のＯＮ／ＯＦＦが設定できるようになる。
【０１０５】
また、本実施の形態では、ブレ補正機能をＯＦＦする場合、補正レンズ３Ａのセンタリングが完了したことを確認した後、液晶モニタ３０の表示をスルー画像に切り替えているが、一定の時間を設定し、その間、補正レンズ３Ａのセンタリングを行うようにしてもよい。すなわち、センタリングに必要十分な時間をあらかじめ設定し、その時間の経過後、液晶モニタ３０の表示をスルー画像に切り替えるようにしてもよい。
【０１０６】
以上説明したように、本実施の形態の撮像装置１００によれば、ブレ補正機能がＯＦＦされると、画像の撮影を行い、液晶モニタ３０の表示をその撮影画像に切り替える。そして、その撮影画像が表示されている間に補正レンズ３Ａのセンタリング動作を行い、センタリングの完了を待って液晶モニタ３０の表示をスルー画像に切り替える。これにより、センタリングによって画像がブレて、撮影者に違和感を与えるのを効果的に防止することができる。
【０１０７】
なお、本実施の形態では、ブレ補正機能がＯＦＦされたときに液晶モニタ３０に表示する画像を撮像素子１１４で撮像された画像としているが、液晶モニタ３０に表示する画像は、これに限定されるものではない。たとえば、あらかじめ所定の画像を用意しておき、この画像を表示させるようにしてもよい。この場合において、表示する画像をユーザが任意に登録できるようにすることが好ましい。
【０１０８】
なお、撮像素子１１４で撮像された画像を表示する場合は、スルー画像として最後に表示された画像を表示することが好ましい。
【０１０９】
また、本実施の形態では、ブレ補正機能をＯＦＦする場合、補正レンズ３Ａのセンタリングが完了したことを確認した後、液晶モニタ３０の表示をスルー画像に切り替えているが、一定の時間を設定し、その間、補正レンズ３Ａのセンタリングを行うようにしてもよい。すなわち、センタリングに必要十分な時間をあらかじめ設定し、その時間の経過後、液晶モニタ３０の表示をスルー画像に切り替えるようにしてもよい。
【０１１０】
また、本実施の形態では、ブレ補正スイッチ４４によってブレ補正機能のＯＮ／ＯＦＦを切り替えるようにしているが、ブレ補正機能のＯＮ／ＯＦＦを切り替える手段は、これに限定されるものではない。たとえば、押下式のボタンで構成し、このボタンを一回押すたびにブレ補正機能のＯＮ／ＯＦＦが切り替わるようにしてもよい。この場合において、撮像装置２００の電源を投入すると、又は、撮影モードに切り替わると、自動的にブレ補正機能がＯＮ又はＯＦＦに設定されるようにしてもよいし、また、前回終了時の設定が引き継がれるようにしてもよい。
【０１１１】
なお、上述した一連の実施の形態では、ブレ補正の方式として、撮影レンズの一部を移動させて像のブレを補正する方式を採用したが、ブレ補正の方式は、これに限定されるものではない。たとえば、ブレを相殺する方向に撮像素子を移動させて、像のブレを補正する方式を用いてもよい。
【０１１２】
また、上記一連の実施の形態では、本発明をデジタルカメラに適用した場合を例に説明したが、本発明の適用は、これに限定されるものではなく、光学式のブレ補正機能を備えた全ての撮像装置及び撮像機能を備えた機器（たとえば、ビデオカメラ、カメラ付き携帯電話機など）に適用することができる。
【図面の簡単な説明】
【０１１３】
【図１】撮像装置の正面斜視図
【図２】撮像装置の背面斜視図
【図３】撮像装置の電気的構成を示すブロック図
【図４】撮影レンズの概略構成を示す図
【図５】ブレ補正装置の構成を示す分解斜視図
【図６】第１の実施の形態の撮像装置における動作の手順を示すフローチャート
【図７】第２の実施の形態の撮像装置の背面斜視図
【図８】液晶モニタの表示例を示す図
【図９】第２の実施の形態の撮像装置における動作の手順を示すフローチャート
【図１０】第３の実施の形態の撮像装置の背面斜視図
【図１１】第３の実施の形態の撮像装置における動作の手順を示すフローチャート
【符号の説明】
【０１１４】
１…第１レンズ群、２…第２レンズ群、３…第３レンズ群、３Ａ…補正レンズ、３Ｂ…固定レンズ、４…第４レンズ群、５…絞り、１０…撮像装置、１２…装置本体、１４…撮影レンズ、１６…ファインダ窓、１８…ストロボ、２０…シャッタボタン、２２…モードスイッチ、２４…モードダイヤル、２６…電源ボタン、２８…ファインダ接眼部、３０…液晶モニタ、３２…ズームボタン、３４…十字キー、３６…ＭＥＮＵ／ＯＫボタン、３８…ＤＩＳＰボタン、４０…ＢＡＣＫボタン、４２…電源／モードスイッチ、４４…ブレ補正スイッチ、５０…ブレ補正装置、５２…レンズ鏡筒、５４Ｐ…Ｐガイド軸、５４Ｙ…Ｙガイド軸、５６Ｐ…Ｐスライダ、５６Ｙ…Ｙスライダ、５８Ｐ…ｐガイド軸、５８Ｙ…ｙガイド軸、６０…レンズ保持枠、６２Ｐ…コイル、６２Ｙ…コイル、６２Ｐ…マグネット、６２Ｙ…マグネット、６６Ｐ…Ｐコイルモータ、６６Ｙ…Ｙコイルモータ、６８Ｐ…マグネット、６８Ｙ…マグネット、７０Ｐ…Ｐ位置センサ、７０Ｙ…Ｙ位置センサ、７２Ｐ…Ｐコイルモータドライバ、７２Ｙ…Ｙコイルモータドライバ、１１４…撮像素子、１１６…アナログ信号処理部、１１８…Ａ／Ｄ変換器、１２０…デジタル信号処理部、１２２…圧縮伸張処理部、１２４…メディアコントローラ、１２６…記憶メディア、１２８…エンコーダ、１３０…液晶モニタ、１３２…操作部、１３４…ＣＰＵ、１３６…ＲＡＭ、１３８…ＲＯＭ
【図１】
0004752466.tif 000002
【図２】
0004752466.tif 000003
【図３】
0004752466.tif 000004
【図４】
0004752466.tif 000005
【図５】
0004752466.tif 000006
【図６】
0004752466.tif 000007
【図７】
0004752466.tif 000008
【図８】
0004752466.tif 000009
【図９】
0004752466.tif 000010
【図１０】
0004752466.tif 000011
【図１１】
0004752466.tif 000012